(57)【要約】  【課題】  エラーが生じた元の送信とエラーの生じたページ以降の再送信との関連が、受信側の使用者に判り易いファクシミリ装置を提供する。  【解決手段】  ファクシミリ装置(1)は、画像の送信に関する情報を記憶する送信情報記憶部(18)を備え、送信に際してエラーが生じたときに、画像の総ページ数と、エラーが生じたページのページ番号を記憶しておく。通常の送信では、送信するページに、１から始まる連番のページ番号と総ページ数とを付す。エラー後の再送信では、エラーが生じたページ以降のみを送信するとともに、送信するページに付すページ番号を、元の送信でエラーが生じたページのページ番号から始める。【選択図】      図１
2005318270.tif 000002
【特許請求の範囲】
【請求項１】
通信回線を介して画像を１ページずつ他の装置に送信し、送信するページに１から始まる連番のページ番号を付すファクシミリ装置であって、
エラーが生じて画像の全てのページを送信することができなかったときに、エラーが生じたページのページ番号を記憶しておき、
エラーが生じた画像の再送信に際して、ページ番号を記憶しているページ以降のページを順に送信するとともに、送信するページに記憶しているページ番号から始まる連番のページ番号を付す
ことを特徴とするファクシミリ装置。
【請求項２】
送信した画像の送信に関する条件を記憶しておき、エラーが生じた画像の再送信を記憶している条件に従って行うことを特徴とする請求項１に記載のファクシミリ装置。
【発明の詳細な説明】
【技術分野】
【０００１】
本発明はファクシミリ装置に関し、特に、エラーにより画像の全てのページを送信することができなかったときに、使用者からの指示に応じて再送信を行うファクシミリ装置に関する。
【背景技術】
【０００２】
ファクシミリ装置には、送信すべき画像を表した原稿から画像を読み取りながら画像を送信するダイレクト送信を行うものと、原稿から全ての画像を読み取って記憶しておき、その後に、記憶している画像を送信するメモリ送信を行うものがある。また、ファクシミリ装置では、受信側の便宜のために、送信する画像の各ページのヘッダに、１から始まる連番のページ番号を付すことが一般に行われている。通常、メモリ送信を行う装置では、ページ番号と総ページ数とを付し、ダイレクト送信を行う装置では、送信が終了するまで総ページ数が判らないので、ページ番号のみを付す。
【０００３】
ファクシミリ装置は、送信中に通信エラーが生じたときは、自動的に再送信を試みるが、再送信を行ってもエラーが解消しないときは、送信を終了して、送信が不成功に終わったことを示すレポートを出力する。このレポートには、宛先の電話場号、送信日時、送信できたページ数等が記される。使用者は、このレポートを見て、再送信を行う必要があることを知り、再送信を行う。
【０００４】
再送信に際しては、ダイレクト送信では、原稿から画像をもう一度読み取る必要があるが、メモリ送信では、その必要はない。また、宛先の電話番号をファクシミリ装置が記憶するようにしておき、再送信に際しては、記憶している電話番号を自動的に用いることが行われている（例えば、特開２００３−２７４１２７号公報）。
【特許文献１】特開２００３−２７４１２７号公報
【発明の開示】
【発明が解決しようとする課題】
【０００５】
エラーが生じたときに、送信すべきであった画像の全てのページを再送信することは、通信経済の面でも、受信側の装置が出力する用紙の数の面でも、効率がよくない。このため、エラーが生じたページ以降のみを再送信することが多い。ところが、再送信においても、送信するページの番号は１から数えられ、各ページのヘッダには１から始まる連番のページ番号が付される。このため、受信側の使用者には、受信したページが、エラーで送信できなかったものなのか、あるいは、エラーとは無関係に送信されたものなのかが判りにくくなっているのが現状である。
【０００６】
ファクシミリ装置に宛先の電話番号を記憶させておき、再送信に際して、装置が記憶している電話番号を利用することで、必要な入力操作を低減することができる。送信に際して、画像の解像度や濃度等の送信条件を使用者が指定し得るファクシミリ装置もある。しかし、このような装置でも、宛先の電話番号を記憶しておくだけにとどまっている。このため、使用者が指定した送信条件で行った送信にエラーが生じた場合に、同一条件で再送信を行うためには、使用者は、送信条件を指定するための操作を再度行う必要がある。
【０００７】
本発明は、このような問題点に鑑みてなされたもので、エラーが生じた元の送信とエラーの生じたページ以降の再送信との関連が、受信側の使用者に判り易いファクシミリ装置を提供することを目的とし、さらに、再送信に際しての使用者の入力操作を低減したファクシミリ装置を提供することを目的とする。
【課題を解決するための手段】
【０００８】
上記目的を達成するために、本発明では、通信回線を介して画像を１ページずつ他の装置に送信し、送信するページに１から始まる連番のページ番号を付すファクシミリ装置は、エラーが生じて画像の全てのページを送信することができなかったときに、エラーが生じたページのページ番号を記憶しておき、エラーが生じた画像の再送信に際して、ページ番号を記憶しているページ以降のページを順に送信するとともに、送信するページに記憶しているページ番号から始まる連番のページ番号を付すものとする。
【０００９】
このファクシミリ装置は、エラー後の再送信に際して、元の送信でエラーが生じたページから送信するとともに、各ページに付す連番のページ番号を、元の送信でエラーが生じたページのページ番号から始まるようにする。受信側の装置の使用者は、新たに受信した最初のページのページ番号が１でないことから、エラー後に再送信されたものであることを知ることができ、そのページ番号と既に受信している幾組かの画像の最後のページのページ番号とを比較することによって、どの送信のエラー後の再送信であるかを知ることができる。さらに、それらの画像をまとめて１組のドキュメントとしたときに、全てのページに１から始まる連番が付与されている状態となり、後の画像の管理が容易になる。
【００１０】
上記のファクシミリ装置は、送信した画像の送信に関する条件を記憶しておき、エラーが生じた画像の再送信を記憶している条件に従って行うものとすることができる。
【発明の効果】
【００１１】
エラーが生じた画像の再送信に際して、ページ番号を記憶しているページから順に送信するとともに、送信するページに記憶しているページ番号から始まる連番のページ番号を付すようにした本発明のファクシミリ装置では、受信側の装置の使用者が、再送信された画像と既に受信している画像との対応を容易に知ることが可能であり、また、エラーが生じなかった場合と同じく、各ページに付されているページ番号が１から始まる連番となる形態で、受信した画像を管理することができる。
【００１２】
さらに、送信した画像の送信に関する条件を記憶しておき、エラーが生じた画像の再送信を記憶している条件に従って行うようにすると、再送信の送信条件をエラーが生じた元の送信の送信条件と同じにしながら、再送信の際の入力操作を低減することができる。
【発明を実施するための最良の形態】
【００１３】
第１の実施形態のファクシミリ装置１の構成を図１に模式的に示す。ファクシミリ装置１は、制御部１０、画像読取部１１、画像形成部１２、画像記憶部１３、通信部１４、送信データ生成部１５、操作部１６、表示部１７、および送信情報記憶部１８より成る。なお、図１において、白抜きの矢印は画像の流れを表し、実線の矢印は画像以外のデータおよび制御信号の流れを表す。
【００１４】
画像読取部１１は、送信すべき画像を表した原稿から画像を読み取る。複数のページにわたる原稿がセットされれば、画像読取部１１はそれらの画像を全て読み取る。画像形成部１２は、受信した画像をシートに形成（印刷）する。画像記憶部１３は、画像読取部１１が読み取った画像、および受信した画像を記憶する。画像記憶部１３は大容量の記憶媒体を備えており、多数の画像を記憶することができる。
【００１５】
通信部１４は、公衆電話回線（不図示）に接続されており、公衆電話回線を介して他のファクシミリ装置と通信する。通信部１４は、送信に際しては、宛先の電話番号を制御部１０より与えられ、送信すべきデータを送信データ生成部１５より与えられる。また、受信に際しては、受信したデータを画像記憶部１３に記憶させる。
【００１６】
送信データ生成部１５は、画像記憶部１３から送信すべき画像を読み出し、送信に適する形態のデータとして、通信部１４に与える。送信データ生成部１５は、制御部１０からの指示に応じて送信する画像の解像度や濃度を設定し、また、送信する各ページに連番のページ番号と総ページ数を付す。最初のページに付すページ番号は、制御部１０から与えられ、通常は１である。
【００１７】
操作部１６は、使用者によって操作されるキー、タッチパネル等の操作部材から成り、ファクシミリ装置１の動作に関する情報の入力を受け付ける。入力される情報には、宛先の電話番号、送信解像度、送信濃度等がある。表示部１７は、液晶パネル等の表示器を有しており、ファクシミリ装置１の設定状況、操作案内等を表示する。
【００１８】
送信情報記憶部１８は、送信した画像に関する情報を記憶する。送信情報記憶部１８が記憶する情報には、画像記憶部１３内で画像を特定するための画像番号、宛先の電話番号、画像の解像度や濃度等の送信条件、総ページ数、および、エラーが生じたページのページ番号が含まれる。
【００１９】
制御部１０はファクシミリ装置１全体の動作を制御する。再送信に際しては、制御部１０は、送信情報記憶部１８が記憶している情報を利用する。
【００２０】
画像記憶部１３を備えるファクシミリ装置１は、原稿から全ての画像を読み取って記憶しておき、その後に、記憶している画像を送信するメモリ送信を行う。受信に際しても、受信した一群の画像を全て記憶しておき、その後に印刷を行う。
【００２１】
送信および受信に際してエラーが生じたとき、制御部１０は、通信部１４に、エラーで送信または受信できなかったデータの再送信または再受信を試みさせるが、それでもエラーが解消しないときは、エラーが生じたこと、および、どのページでエラーが生じたかを知らせるエラーメッセージを表示部１７に表示させ、同様のエラーメッセージを画像形成部１２に印刷させる。使用者は、これらのメッセージを見てエラーが生じたことを知ることができ、送信エラーであれば再送信を行うことになる。
【００２２】
ファクシミリ装置１は、送信エラーで送信できなかったときの再送信に関して、エラーが生じた元の送信と同じ宛先の電話番号を用いることに加え、次のような特徴的な処理を行う。（１）エラーが生じたページとその後のページのみを送信する。（２）再送信するページに付すページ番号は、元の送信でエラーが生じたページのページ番号から始める。（３）再送信するページに付す総ページ数は、再送信するページの数ではなく、元の送信で送信すべきであったページの数とする。（４）使用者からの指示に応じて、エラーが生じた送信と同じ送信条件で送信を行う。これらに必要な情報は全て、送信情報記憶部１８に記憶されている。
【００２３】
ファクシミリ装置１における送信の処理の流れを図２に示す。まず、使用者より与えられる指示に基づいて、通常の送信であるか再送信であるかを判定する（ステップ＃１０２）。通常の送信のときは、宛先の電話番号の入力を受け付けて記憶し（＃１０４、＃１０６）、画像を読み取って記憶する（＃１０８、＃１１０）。また、読み取った画像の総ページ数を記憶し（＃１１２）、さらに、送信条件の入力を受け付けて記憶する（＃１１４、＃１１６）。
【００２４】
次いで、送信する最初のページのページ番号を１とし（＃１１８）、記憶した宛先電話番号および送信条件を送信に用いるように設定する（＃１２０）。そして、読み取った画像の全てのページを送信する（＃１２２）。送信を行っている間、エラーが生じたか否かを監視し（＃１２４）、エラーが生じたときには、エラーが生じたページのページ番号を記憶するとともに（＃１２６）、前述のエラーメッセージを出力する（＃１２８）。そして、処理を終える。
【００２５】
ステップ＃１０２の判定で再送信のときは、使用者より与えられる指示に基づいて、送信条件を変更するか否かを判定する（＃１３０）。送信条件を変更するときは、ステップ＃１１４に進む。送信条件を変更しないときは、前回の送信がエラーの生じたものであるか否かを送信情報記憶部１８の記憶内容より判定し（＃１３２）、前回の送信でエラーが生じていなければ、ステップ＃１１８に進む。
【００２６】
前回の送信でエラーが生じていたときは、送信する最初のページのページ番号を元の（前回の）送信でエラーが生じたページのページ番号とし（＃１３４）、元の送信と同じ宛先電話番号および送信条件を送信に用いるように設定する（＃１３６）。そして、元の送信でエラーが生じたページから送信を行い（＃１３８）、ステップ＃１２４に進む。
【００２７】
上記のステップ＃１２６で記憶するページ番号は、通常の送信においては、エラーが生じたページの番号そのものとなるが、エラー後の再送信においては、ステップ＃１３４で設定するページ番号を基準としたページ番号となる。したがって、エラー後の再送信においてエラーが発生し、その後にもう一度再送信を行う場合も、前述の処理（１）、（２）を確実に行うことができる。
【００２８】
なお、ステップ＃１３２の判定を設けて、判定結果が偽のときにステップ＃１１８に進むようにしたのは、エラーなく送信することができた画像も、再送信できるようにするためである。これで、何らかの理由で受信側の使用者が再度送信するように要求したときに、その要求に応えることができる。
【００２９】
第２の実施形態のファクシミリ装置２の構成を図３に模式的に示す。ファクシミリ装置２は、制御部２０、画像読取部２１、画像形成部２２、通信部２４、送信データ生成部２５、操作部２６、表示部２７、および送信情報記憶部２８より成り、これらは、第１の実施形態のファクシミリ装置１の同名の各部と類似した機能を有する。
【００３０】
ファクシミリ装置２はファクシミリ装置１から画像記憶部１３を除いた構成であり、メモリ送信ではなく、原稿から画像を読み取りながら送信するダイレクト送信を行う。このため、原稿から読み取った画像と受信した画像の流れが、ファクシミリ装置１とは異なる。また、送信情報記憶部２８が記憶する情報には画像番号と総ページ数は含まれず、送信する画像には総ページ数は付されない。
【００３１】
ファクシミリ装置２も、送信エラーで送信できなかったときの再送信に関して、エラーが生じた元の送信と同じ宛先の電話番号を用いることに加え、前述の（１）〜（４）の処理を行う。ダイレクト送信を行うファクシミリ装置２では、再送信に際して、原稿から画像を読み取る必要があるが、使用者は、画像読取部２１に、原稿の全てのページをセットすることも、元の送信でエラーが生じたページ以降のページのみをセットすることもできる。原稿の全てのページがセットされたとき、ファクシミリ装置２は、エラーが生じたページの直前のページまでを読み飛ばし、それらのページは送信しない。
【００３２】
ファクシミリ装置２における送信の処理の流れを図２に示す。まず、使用者より与えられる指示に基づいて、通常の送信であるか再送信であるかを判定する（ステップ＃２０２）。通常の送信のときは、宛先の電話番号の入力を受け付けて記憶し（＃２０４、＃２０６）、送信条件の入力を受け付けて記憶する（＃２０８、＃２１０）。
【００３３】
次いで、送信する最初のページのページ番号を１とし（＃２１２）、記憶した宛先電話番号および送信条件を送信に用いるように設定する（＃２１４）。そして、画像を読み取りながら、読み取った画像を直ちに送信する（＃２１６）。その際、エラーが生じたか否かを監視し（＃２１８）、エラーが生じなければ、最終ページであるか否か、つまり、原稿が残っているか否かを判定して（＃２２０）、最終ページでなければステップ＃２１６に戻る。エラーが生じたときは、エラーが生じたページのページ番号を記憶するとともに（＃２２２）、前述のエラーメッセージを出力して（＃２２４）、処理を終える。
【００３４】
ステップ＃２０２の判定で再送信のときは、使用者より与えられる指示に基づいて、送信条件を変更するか否かを判定する（＃２２６）。送信条件を変更するときは、ステップ＃２０８に進む。送信条件を変更しないときは、前回の送信がエラーの生じたものであるか否かを送信情報記憶部２８の記憶内容より判定し（＃２２８）、前回の送信でエラーが生じていなければ、ステップ＃２１２に進む。これで、エラーなく送信できた画像を受信側の使用者が再度送信するように要求したときに、その要求に応えることができる。
【００３５】
前回の送信でエラーが生じていたときは、使用者より与えられる指示に基づいて、元の（前回の）送信でエラーが生じたページ以降のみがセットされているか、全てのページがセットされているかを判定する（２３０）。全てのページがセットされているときは、元の送信でエラーが生じたページの直前までのページを読み飛ばし（＃２３２）、送信する最初のページのページ番号を元の送信でエラーが生じたページのページ番号とする（＃２３４）。エラーが生じたページ以降のみがセットされているときは、直接ステップ＃２３４に進む。その後、ステップ＃２１４に進んで、画像の読み取りと送信を開始する。
【００３６】
ファクシミリ装置２は、ダイレクト送信を行うものでありながら、再送信に際して、元の送信でエラーが生じたページ以降のみをセットすることと、全てのページをセットすることを選択できるため、使い勝手がよい。エラーが生じたページ以降のみをセットすると、送信開始までに要する時間が短縮され、全てのページをセットすると、原稿の中からエラーが生じたページを見い出す必要がなくなる。
【００３７】
なお、各実施形態では公衆電話回線を介して通信を行うファクシミリ装置の例を掲げたが、本発明のファクシミリ装置は、公衆電話回線以外の通信回線、例えばインターネットを介して通信を行うものとすることもできる。
【図面の簡単な説明】
【００３８】
【図１】第１の実施形態のファクシミリ装置の構成を模式的に示すブロック図。
【図２】第１の実施形態のファクシミリ装置における送信の処理の流れを示すフローチャート。
【図３】第２の実施形態のファクシミリ装置の構成を模式的に示すブロック図。
【図４】第２の実施形態のファクシミリ装置における送信の処理の流れを示すフローチャート。
【符号の説明】
【００３９】
１、２    ファクシミリ装置
１０、２０  制御部
１１、２１  画像読取部
１２、２２  画像形成部
１３        画像記憶部
１４、２４  通信部
１５、２５  送信データ生成部
１６、２６  操作部
１７、２７  表示部
１８、２８  送信情報記憶部
【図１】
2005318270.tif 000003
【図２】
2005318270.tif 000004
【図３】
2005318270.tif 000005
【図４】
2005318270.tif 000006